(57)【特許請求の範囲】
【請求項１】
モータ本体の前端には管軸方向に出力軸が突出し、前記モータ本体の後端には、ブラシに給電する接続端子を露出させる電気絶縁性のブラケットが設けられ、前記接続端子に対し、外部から所定の電圧を供給する外付けターミナルの端部を電気的に接続させたモータにおいて、
前記外付けターミナルは、バネ材で形成されると共に、遊端に設けられた接地部が接地のときに前記モータ本体側に向かって撓むように、前記ブラケットの縁部近傍で前記出力軸側に向かって略直角に折り曲げられており、
前記ブラケットは、
前記接続端子を前記管軸方向に向けて突出させる貫通孔と、
前記ブラケットの後端面に沿った前記外付けターミナルの前記端部のラジアル方向の差し込みを側方から支持するガイド壁部と、
前記ガイド壁部から張り出して、前記ブラケットの前記後端面で前記外付けターミナルの前記端部のラジアル方向の差し込み通路を形成させると共に、前記外付けターミナルの略直角に折り曲げられた部分と、前記接続端子に接続される前記外付けターミナルの前記端部と、から離間した位置で前記外付けターミナルを前記管軸方向へ押さえ付けることで、前記外付けターミナルの前記端部を前記管軸方向に支持するターミナル支持部と、を備えたことを特徴とするモータ。
【請求項２】
前記出力軸に、分銅を偏心固定させたことを特徴とする請求項１記載のモータ。
【発明の詳細な説明】
【０００１】
【発明の属する技術分野】
本発明は、モータに係り、特に、携帯通信機器（例えば携帯電話）に内蔵させて、呼び出し機能の振動発生源として利用される小型のモータに関するものである。
【０００２】
【従来の技術】
従来、このような分野の技術として、特開平１１−１３６９０１号公報がある。この小型モータは、携帯電話等の通信機器に組み込み易くしたものであり、出力軸には分銅が固定され、モータの胴部には、前方に延びる通電端子がホルダとブラケットとを介して固定されている。そして、バネ板からなるこのような通電端子を利用すると、回路基板にモータを固定させる際に、半田付けの必要がなく、生産能率の向上が図られる。
【０００３】
【発明が解決しようとする課題】
前述した従来のモータには、次のような課題が存在している。すなわち、この小型モータに利用される通電端子（ターミナル）は、ブラケットと端子板との間に挟み込まれ、ホルダーによって端子板及び通電端子が押さえ込まれ、通電端子を簡易に組み込むことができる。しかしながら、通電端子（ターミナル）をブラケットに組み込む際、ホルダーが利用されているが、モータの胴の直径が小さくなればなる程、すなわちモータの小型化が促進される程、部品点数の増加は逆に作業性を悪くする虞れがある。
【０００４】
本発明は、上述の課題を解決するためになされたもので、特に、組立て作業性を向上させて、小型化の促進に寄与できるようにしたモータを提供することを目的とする。
【０００５】
【課題を解決するための手段】
本発明に係るモータは、モータ本体の前端には管軸方向に出力軸が突出し、モータ本体の後端には、ブラシに給電する接続端子を露出させる電気絶縁性のブラケットが設けられ、接続端子に対し、外部から所定の電圧を供給する外付けターミナルの端部を電気的に接続させたモータにおいて、
外付けターミナルは、バネ材で形成されると共に、遊端に設けられた接地部が接地のときにモータ本体側に向かって撓むように、ブラケットの縁部近傍で出力軸側に向かって略直角に折り曲げられており、
ブラケットは、接続端子を管軸方向に向けて突出させる貫通孔と、ブラケットの後端面に沿った外付けターミナルの端部のラジアル方向の差し込みを側方から支持するガイド壁部と、ガイド壁部から張り出して、ブラケットの後端面で外付けターミナルの端部のラジアル方向の差し込み通路を形成させると共に、外付けターミナルの略直角に折り曲げられた部分と、接続端子に接続される外付けターミナルの端部と、から離間した位置で外付けターミナルを管軸方向へ押さえ付けることで、外付けターミナルの端部を管軸方向に支持するターミナル支持部と、を備えたことを特徴とする。
【０００６】
このモータは、ブラケットの貫通孔から突出させた接続端子に対する外付けターミナルの組付け作業性の向上を図ったものである。すなわち、外付けターミナルの端部は、ガイド壁部に沿わせるようにしてラジアル方向に差し込むことができる。そして、この差し込みにあたって、ガイド壁部から張り出したターミナル支持部によって確実な差し込み通路が形成されているので、外付けターミナルの端部を差し込み通路で導びきながら、外付けターミナルの端部先端を接続端子まで確実に導びくことにが可能になる。また、組立て作業時において、ブラケットに対する外付けターミナルの支持が維持されるので、外付けターミナルと接続端子との電気的接続状態が維持され、組立て易くなる。更に、外付けターミナルをブラケットに組付けた後において、ガイド壁部とターミナル支持部との協働により、外付けターミナルに外的負荷が加わった場合でも、外付けターミナルを側方と管軸方向とから支持するので、電気的接続箇所が外れ難くなり、外付けターミナルの組付け後においても電気的箇所に不具合が起きにくい。そして、モータの更なる小型化を推し進める場合に、各構成部品が小さくなればなるほど、前述したブラケットの構成は、外付けターミナルの組付け作業性に大きく貢献することになる。
【０００７】
更に、外付けターミナルは、バネ材で形成されると共に、ブラケットの縁部近傍で出力軸側に向けて略直角に折り曲げられている。このように、外付けターミナルがバネ性をもつ場合、携帯電話等にモータが組込まれた状態で外付けターミナルの端部に管軸方向の負荷が加わり続けることになる。しかしながら、モータがターミナル支持部をもつことで、モータ使用時においても、外付けターミナルの端部を常に支持し続けることができ、外付けターミナルと接続端子との電気的接続状態を常に良好な状態に保ち続けることができる。
【０００８】
また、出力軸に、分銅を偏心固定させると好適である。これによって振動モータとして利用でき、モータ自体の振動により接続端子と外付けターミナルとの電気的接続箇所が断線しやすくなることを考慮すると、前述したブラケットの構成は振動モータにおいて適しているといえる。
【０００９】
【発明の実施の形態】
以下、図面と共に本発明によるモータの好適な実施形態について詳細に説明する。
【００１０】
図１及び図２に示すように、モータ１は、コアードモータからなると共に、直径約４ｍｍで長さ約１０ｍｍの円筒形状の金属製モータケース（胴部）２をもったモータ本体Ａを備え、小型化が図られている。モータケース２の内壁面には、Ｎ，Ｓ極をもった永久磁石からなる固定子が固定され、モータケース２の内部には、鉄芯にコイルが巻かれた回転子が収容されている。この回転子の中心には、軸受で支持された出力軸３が固定され、この出力軸３は管軸方向に延在してモータ本体Ａから突出させている。この出力軸３の後端には整流子が固定され、この整流子には一対のブラシ１０が摺動接触している。
【００１１】
また、出力軸３の先端部分には、略半円柱状の分銅６がカシメられ、若しくは圧入され、分銅６は、出力軸３に偏心固定されている。従って、出力軸３の回転力で分銅６を振り回すことによって、モータ本体Ａ自体を振動させることができる。このような分銅付き振動モータ１は、携帯用小型無線呼出器や携帯電話等でその筺体を振動させて、利用者に着信を呼びかける場合に利用される。
【００１２】
更に、モータ本体Ａの後端には、電気絶縁性のプラスチック製ブラケット５が設けられている。図３及び図４に示すように、各ブラシ１０はブラケット５内に収容され、各ブラシ１０には、管軸方向に延びる板状の接続端子４がハンダ又はカシメによって固定され、各接続端子４の先端は、ブラケット５に設けられた貫通孔１１（図５参照）から管軸方向に向けて外方に突出する。なお、ブラシ１０は、ブラケット５内で管軸方向に延在する左右一対の貫通孔１１内に各接続端子４を圧入差し込みすることでブラケット５に固定される。
【００１３】
図５及び図６に示すように、樹脂製のブラケット５には、接続端子４を管軸方向に向けて突出させる貫通孔１１が形成され、左右一対の貫通孔１１から各接続端子４の先端を露出させている。更に、ブラケット５は、管軸方向に対して直交する後端面５ａを有している。この後端面５ａは、外付けターミナル８の端部をラジアル方向に差し入れるための差し込み通路Ｓを有し、この差し込み通路Ｓ上に貫通孔１１を配置させる。また、この差し込み通路Ｓは、外付けターミナル８の差し込み時において、外付けターミナル８を両側方から支持するガイド壁部１２と、外付けターミナル８を管軸方向に支持するターミナル支持部１３と、差し込み通路Ｓを左右に分離させる仕切り部１４とで形成されている。
【００１４】
左右一対のガイド壁部１２は、ブラケット５に一体成形させると共に、後端面５ａの縁部に沿ってラジアル方向に平行に延在し、各外付けターミナル８の端部の一方の側面を支持する。更に、ブラケット５には、左右のガイド壁部１２の中間に仕切り部１４が形成され、この仕切り部１４によってターミナル８の端部の他方の側面を支持する。そして、ガイド壁部１２と仕切り部１４との間隔を、外付けターミナル８の端部の幅と略同じに形成させると、差し込み通路Ｓが外付けターミナル８の幅に対応するので、外付けターミナル８の差し込み後において、外付けターミナル８の側方へのガタ付きを少なくすることができる。
【００１５】
更に、ターミナル支持部１３は、ブラケット５に一体成形させると共に、後端面５ａから外付けターミナル８の略厚み分だけ浮かせるようにして、各ガイド壁部１２から内方に向けて張り出し形成する。これによって、板状の外付けターミナル８の平面部分を上から押さえ付けるような差し込み通路Ｓが形成されることになり、外付けターミナル８の管軸方向のガタ付きを少なくすることができる。
【００１６】
このような差し込み通路Ｓの採用によって、図７に示すように、外付けターミナル８の端部は、ガイド壁部１２に沿わせるようにしてラジアル方向に差し込むことができ、その差し込みにあたって、ガイド壁部１２から張り出したターミナル支持部１３によってもガイドされる。そして、先細形状になっている外付けターミナル８の接続部８ａが接続端子に接触するまで外付けターミナル８は押し込まれ、この状態を維持させたまま、外付けターミナル８の接続部８ａと接続端子４との電気的接続箇所にハンダ付けを施す。このような差し込み通路Ｓの採用で、組立て時における外付けターミナル８と接続端子４との電気的接続状態の維持が簡単に図られ、組立て易さが格段に向上する。
【００１７】
また、外付けターミナル８は、肉厚０．１５ｍｍ程度のバネ材で形成されると共に、ブラケット５の下端縁部の近傍で出力軸３側に向けて略直角に折り曲げられ、外付けターミナル８の遊端には、表面にＡｕメッキ処理がなされた接地部１６が設けられている（図１参照）。このように、外付けターミナル８がバネ性をもつ場合、モータ１を上から押えるようにして、携帯電話等の回路基板に接地部１６を接触させると、外付けターミナル８の弾性部分８Ａが二点鎖線で示すように撓む結果として、ハンダ部分Ｐにおいて、外付けターミナル８の端部には、管軸方向における矢印Ｂ方向に負荷が加わり続けることになる（図１参照）。
【００１８】
しかしながら、モータ１がターミナル支持部１３をもつことで、モータ１の使用時においても、外付けターミナル８の端部を常に支持し続け、外付けターミナル８と接続端子４との電気的接続状態を良好に保ち続けることになる。特に、モータ１を振動モータとして利用する場合、モータ１自体の振動により接続端子４と外付けターミナル８との電気的接続箇所（ハンダ部分Ｐ）が断線しやすくなることを考慮すると、モータ本体Ａが振動し続ける振動モータにおいて最適であるといえる。
【００１９】
このように、ブラケット５に対する外付けターミナル８の組付け後においても電気的接続箇所（ハンダ部分Ｐ）に不具合が起きにくく、製品の品質維持に寄与することになる。そして、モータ１の更なる小型化を推し進める場合に、各構成部品が小さくなればなるほど、前述したブラケット５の構成は、外付けターミナル８の組付け作業性に大きく貢献することになる。
【００２０】
【発明の効果】
本発明によるモータは、以上のように構成されているため、次のような効果を得る。すなわち、モータ本体の前端には管軸方向に出力軸が突出し、モータ本体の後端には、ブラシに給電する接続端子を露出させる電気絶縁性のブラケットが設けられ、接続端子に対し、外部から所定の電圧を供給する外付けターミナルの端部を電気的に接続させたモータにおいて、外付けターミナルは、バネ材で形成されると共に、遊端に設けられた接地部が接地のときにモータ本体側に向かって撓むように、ブラケットの縁部近傍で出力軸側に向かって略直角に折り曲げられており、ブラケットは、接続端子を管軸方向に向けて突出させる貫通孔と、ブラケットの後端面に沿った外付けターミナルの端部のラジアル方向の差し込みを側方から支持するガイド壁部と、ガイド壁部から張り出して、ブラケットの後端面で外付けターミナルの端部のラジアル方向の差し込み通路を形成させると共に、外付けターミナルの略直角に折り曲げられた部分と、接続端子に接続される外付けターミナルの端部と、から離間した位置で外付けターミナルを管軸方向へ押さえ付けることで、外付けターミナルの端部を管軸方向に支持するターミナル支持部と、を備えたことにより、組立て作業性を向上させて、小型化の促進に寄与することになる。
【図面の簡単な説明】
【図１】本発明に係るモータの一実施形態を示す側面図である。
【図２】図１に示したモータの底面図である。
【図３】本発明に係るモータのブラケットを示す正面図である。
【図４】図３のＩＶーＩＶ線に沿う断面図である。
【図５】本発明に係るモータの要部であるブラケットと外付けターミナルとの組付け前の状態を示す拡大斜視図である。
【図６】ブラケットと外付けターミナルとの組付け前の状態を示す背面図である。
【図７】ブラケットと外付けターミナルとの組付け後の状態を示す背面図である。
【符号の説明】
１…モータ、３…出力軸、４…接続端子、５…ブラケット、５ａ…ブラケットの後端面、６…分銅、８…外付けターミナル、１０…ブラシ、１１…貫通孔、１２…ガイド壁部、１３…ターミナル支持部、Ａ…モータ本体、Ｓ…差し込み通路。
【図１】
0004566356.tif 000002
【図２】
0004566356.tif 000003
【図３】
0004566356.tif 000004
【図４】
0004566356.tif 000005
【図５】
0004566356.tif 000006
【図６】
0004566356.tif 000007
【図７】
0004566356.tif 000008